(57)【要約】【課題】１次元イメージセンサを副走査方向に移動させながら光学系を用いてこれに画像を結像させる場合に、画像の品質を落とすことなく、必要とする部品点数を減少させる。【解決手段】ＣＣＤモジュール２１８を取り付けたＣＣＤ基板２２８は、ＣＣＤフレーム２３４を介してＣＣＤブラケット２３２に取り付けられている。ＣＣＤブラケット２３２は、画像の副走査方向が幅方向となっており、この方向の振動に対して強い構造となっている。また、レンズフレーム２５１はレンズ２１７と第６のミラー２２７を固定し、遮光用のカバー２６４（２６５）と分離されているため、構造が単純化している。【選択図】図４
2007195032.tif 000002
【特許請求の範囲】
【請求項１】
原稿を走査した画像を読み取る１次元イメージセンサと、
この１次元イメージセンサを保持するセンサ用フレームと、
前記原稿の走査に伴って副走査方向に移動する金属製のステーと、
Ｌ字状に折り曲げられその部材の厚さよりも長い幅を有する平板状の部材であって、折り曲げられた一端側を前記ステーに固定され、他端側を前記センサ用フレームに固定すると共に、前記折り曲げられた箇所を連ねた線分の方向が前記副走査方向と一致するブラケット
とを具備することを特徴とする画像読取装置。
【請求項２】
前記１次元イメージセンサに画像を結像する光学部品と、
これら光学部品を位置決めした状態で固定する金属製の光学部品用フレームと、
この光学部品用フレームを前記ステーに固定する固定用部品
とを具備することを特徴とする請求項１記載の画像読取装置。
【請求項３】
前記ステーに副走査方向の振動を与える副走査方向移動手段を具備することを特徴とする請求項１記載の画像読取装置。
【請求項４】
前記光学部品用フレームは、前記ブラケットの前記幅と平行な方向に広がった平板状の領域を備えており、この領域と前記ブラケットの前記他端側が重ね合わされた状態で両者が固定されていることを特徴とする請求項２記載の画像読取装置。
【請求項５】
遮光用の樹脂製の部品が前記光学部品用フレームの近傍の遮光すべき位置に配置されていることを特徴とする請求項２記載の画像読取装置。
【請求項６】
前記ブラケットは、前記幅と平行な方向に広がった平板状の領域に対して直角に折れ曲がった主走査方向と平行な領域を備えており、この領域に前記光学部品用フレームがネジ止めされていることを特徴とする請求項４記載の画像読取装置。
【発明の詳細な説明】
【技術分野】
【０００１】
本発明は、１次元イメージセンサを用いて画像の読み取りを行う画像読取装置に係わり、特に画像の読み取りの際に１次元イメージセンサを保持した部材に加えられる振動による画質の劣化を抑制するようにした画像読取装置に関する。
【背景技術】
【０００２】
１次元イメージセンサに画像を結像させることで、原稿の読み取りを行う画像読取装置は、ファクシミリ装置、複写機、スキャナあるいは画像の読み取り機能を備えた複合機に広く使用されている。
【０００３】
図７は、このような画像読取装置の要部を表わしたものである。画像読取装置１００は、図示しない透明なプラテンガラスを上部に配置した筐体１０１を有しており、その内部に、画像の読み取りを行うための画像読取ユニット１０２を配置している。画像読取ユニット１０２は、その上部に帯状に光を照射する光源１０３を備えている。この光源１０３から前記したプラテンガラスに照射された光線は、図示しない原稿の読取部分を照射する。これにより得られた原稿の反射光は、光源１０３の近傍にこれと平行して線状に設けられた開口部１０４から画像読取ユニット１０２内に入射するようになっている。そして、この図７には示していないミラーやレンズ等の光学系を経て、内蔵の１次元イメージセンサ（ＣＣＤ）に画像が結像することで、原稿の該当するラインの読み取りが行われるようになっている。
【０００４】
画像読取ユニット１０２は、図示しない駆動源によって、光源１０３と直交する矢印方向１０５に副走査されるようになっている。これによってプラテンガラスに載置された前記した原稿の読取領域の画像走査が行われる。
【０００５】
図８は、図７に示した画像読取ユニットの内部構造の要部を原理的に表わしたものである。図７に示した画像読取ユニット１０２内で、図示しないミラー群の間で反射を複数回繰り返して光路長を稼いだ光線１１１は、ユニット内部の金属製のステー１１２上に固定されたレンズ１１３に入射する。
【０００６】
レンズ１１３を透過した光線１１４は、ミラー１１５によって上向きに反射され、進行方向を９０度回転させる。この反射光は、ＣＣＤ基板１１６に薄い金属板１１７を介して接続された１次元イメージセンサからなるＣＣＤ（Charged Coupled Device）モジュール１１８に到達する。ＣＣＤ基板１１６は、この図で紙面に垂直方向に細長い部材であり、これとほぼ同じ長さのＣＣＤフレーム１１９によって図示しない長手方向の両端部が保持されている。ＣＣＤフレーム１１９は、この図８に示すように紙面と平行な断面がＬ字状となっているが、このうちの上下方向に折り曲げられた部位は、前記した金属板１１７を介して、一対の金属製のＣＣＤブラケット１２１、１２２の上端部に取り付けられている。紙面に平行な断面がＬ字型のＣＣＤブラケット１２１、１２２の水平方向に折り曲げられた部位は、ステー１１２の底部に図示しないネジによって固定されている。
【０００７】
このような画像読取ユニット１０２では、画像の読取動作中に、図示しないモータ等の駆動系から、レンズ１１３の光軸方向に往復動するような振動が伝達する。画像読取ユニット１０２の全体的な小型化の要請の下で、ＣＣＤブラケット１２１、１２２を構成する金属板の厚さには限界がある。このため、断面がＬ字状のＣＣＤブラケット１２１、１２２の折り曲げた部位１２１Ａ、１２２Ａの強度を十分に維持することができない。このため、上部にＣＣＤフレーム１１９を介してＣＣＤ基板１１６を保持したＣＣＤブラケット１２１、１２２の図で垂直に立ち上がった部分は、折り曲げた部位１２１Ａ、１２２Ａを中心として円弧を描くように揺動することになる。
【０００８】
この揺動は、折り曲げた部位１２１Ａ、１２２Ａから更に距離的に遠いＣＣＤ基板１１６およびＣＣＤモジュール１１８で拡大される。この結果、レンズ１１３を通過した光線１１４がミラー１１５によって反射されてＣＣＤモジュール１１８に到達したとき、このＣＣＤモジュール１１８上で結像位置に「ぶれ」を生じさせる現象が生じる。
【０００９】
図９は、直線的な画像について、読み取りの際に画像の「ぶれ」が生じていない場合の読取結果の一例を参考として表わしたものである。同一の幅の直線からなる画像がその幅を保持した状態で読み取られていることが分かる。これは、直線が主走査方向に一致しているとすると、読み取りの際に副走査方向への「ぶれ」が生じていないからである。ここで、主走査方向とは、図７に示した光源１０３あるいは開口部１０４の長手方向をいい、副走査方向とは画像読取ユニット１０２の移動する方向であり、主走査方向と直交している。
【００１０】
図１０は、この図９と同一の直線的な画像の読み取りの際に「ぶれ」が生じた場合の読取結果を示したものである。画像読取ユニット１０２のような読取装置側で画像の読み取りの際に副走査方向に「ぶれ」が生じると、読取結果としての画像の線状部分が波状に変化する。この結果として、高品位あるいは高解像度での画像の読み取りが不可能になる。
【００１１】
そこで、従来の画像読取ユニット１０２では、図８に示したＣＣＤ基板１１６の図で上側の面に第１の振動抑制部材１２３を固定し、更に図示しない部材に固定された第２の振動抑制部材１２４に第１の振動抑制部材１２３を固定することにしていた。これにより、ＣＣＤブラケットの折り曲げた部位１２１Ａ、１２２Ａを中心とした揺動が抑制されることになる。すなわち、ステー１１２と第２の振動抑制部材１２４および光線１１４のミラー１１５を反射した後の結像位置がほぼ同一の振動変化を示すようになり、ＣＣＤモジュール１１８から見れば相対的に振動が発生していない状態に近い状態が実現する。
【００１２】
ところで、図１１は、図８に示した画像読取ユニットの内部構造の要部を表わしたものである。ここでは、内部構造の理解を容易にするために、画像読取ユニット１０２におけるＣＣＤブラケット１２１、１２２やＣＣＤフレーム１１９およびＣＣＤ基板１１６を取り付ける前の状態を表わしている。この状態では、図８に示した第１および第２の振動抑制部材１２３、１２４はまだ取り付けられていない。
【００１３】
図１２は、この図１１に示した画像読取ユニットで更に図８に示したＣＣＤブラケットを取り付けた状態を表わしたものである。ステー１１２には、その長手方向を長方形の長辺とする開口部１３４が設けられている。ＣＣＤブラケット１２１、１２２は、この開口部１３４からその垂直な部位が突出するようにステー１１２にネジ穴１２５、１２６を用いて固定されるようになっている。ＣＣＤブラケット１２１、１２２には、それぞれ図８に示したＣＣＤフレーム１１９を取り付けるための図示しないネジを取り付けるためのネジ穴１２７、１２８が設けられている。
【００１４】
図１１および図１２に示す、細長い金属板を所定の形状に打ち抜くと共に折り曲げて形成されたステー１１２は、画像の主走査方向に細長い形状をしている。このステー１１２の長手方向におけるほぼ中央位置には、レンズ１１３がその光軸を主走査方向と直交する副走査方向に一致させて、樹脂製のレンズフレーム１３１によってネジ１３２、１３３を用いて固定されている。レンズフレーム１３１は、レンズ１１３だけでなくミラー１１５についても高精度に位置決めを行う役割を持った部材となっており、更に図８に示したＣＣＤモジュール１１８に不要な光線が入射しないようにこれを遮光する壁を形成している。このため、レンズフレーム１３１は全体的に複雑な形状となっており、かつレンズ１１３やミラー１１５を高精度に位置決めできるように精度よく形成されている必要がある。
【００１５】
このようなレンズフレーム１３１を金属で作成することは、工数が掛かり、画像読取ユニット１０２のコストダウンに大きな障害となる。そこで、このような複雑な部品を樹脂製の部品で置き換えることが提案されている（たとえば特許文献１参照）。レンズフレーム１３１も、この提案に沿って樹脂製となっている。また、ＣＣＤ基板１１６を固定するＣＣＤフレーム１１９については、これと接触するＣＣＤ基板１１６の導体部分のパターン同士が電気的に接触する事態を防止するために絶縁体としての樹脂材料で成型している。
【特許文献１】特開平０９−１０７４３６号公報（第００１１段落、第００１２段落、図１）
【発明の開示】
【発明が解決しようとする課題】
【００１６】
これらの樹脂材料は、連結の際の強度を高める必要がある場合に樹脂にガラスを含有させることが行われている。また、図８に示すＣＣＤフレーム１１９のように、他の部品と電気的な接続を可能にしようとする場合には、薄い金属板１１７が導電性の必要な部分を覆うように配置される。後者の工夫により、ＣＣＤフレーム１１９が絶縁体であるにもかかわらず、金属板１１７を介して所望の回路部分を接地させることができるようになる。
【００１７】
しかしながら、画像読取ユニット１０２に金属材料のステー１１２と樹脂材料のレンズフレーム１３１といった異なった材料を使用しているので、これらの間で熱による収縮の比率の差が発生してしまう。これによって、図１１に破線で示すこれらの部品の接続箇所１３５、１３６で、部品間の位置ずれが発生することになる。この位置ずれの発生によって、レンズ１１３およびミラー１１５を経た光線の進路と、ステー１１２に一対のＣＣＤブラケット１２１、１２２を介して取り付けられたＣＣＤモジュール１１８の位置が、温度の変化によって微妙に異なってくることになり、画像の読取位置が温度によって変化するという不都合が発生する。そこで、図１１および図１２に示すように、ステー１１２とレンズフレーム１３１の接続箇所に、合計４個の結合ネジ１３７を配置して、これらの箇所での接続を強固に行う必要があった。
【００１８】
以上説明したように、従来の画像読取ユニット１０２では、（ａ）その駆動のための駆動源が発生させる振動が画像の読み取りに影響しないようにするために、ＣＣＤブラケット１２１、１２２にＣＣＤフレーム１１９を介して取り付けたＣＣＤ基板１１６およびＣＣＤモジュール１１８の相対的な「ぶれ」を軽減する必要があった。このため、ＣＣＤ基板１１６をステー１１２と同じ振動状態となる部材に固定することにし、このため、第１および第２の振動抑制部材１２３、１２４という余分な部材を必要とすることになった。また、（ｂ）画像読取ユニット１０２の小型化の要請と、画像の読み取りの精度を十分保つ要請を共に実現させる必要があった。このため、金属材料と樹脂材料を混在させて画像読取ユニット１０２の要部を構成していたが、これにより、光学系で温度の変化によって画像の読取位置が変化するおそれがあり、これを防止するために部材を固定する部品点数が多くなるという問題があった。すなわち、以上により、従来の画像読取ユニット１０２は、部品点数が多く、生産性が悪いばかりでなくコストダウンに貢献しないという問題があった。
【００１９】
そこで本発明の目的は、１次元イメージセンサを副走査方向に移動させながら光学系を用いてこれに画像を結像させる場合に、画像の品質を落とすことなく、必要とする部品点数を減少させることのできる画像読取装置を提供することにある。
【００２０】
本発明の他の目的は、特定方向の振動が一次元イメージセンサの保持部材に加わるとき、部材自体の強度を高めたり揺動を抑制する部材を配置することなく、保持部材の揺動を軽減することのできる画像読取装置を提供することにある。
【００２１】
本発明の更に他の目的は、レンズおよびミラーを経て１次元イメージセンサへ画像を結像させるとき、１次元イメージセンサを固定した部材とレンズおよびミラーを位置決めした部材を取り付ける部品の点数を減少させることのできる画像読取装置を提供することにある。
【課題を解決するための手段】
【００２２】
本発明では、（イ）原稿を走査した画像を読み取る１次元イメージセンサと、（ロ）この１次元イメージセンサを保持するセンサ用フレームと、（ハ）原稿の走査に伴って副走査方向に移動する金属製のステーと、（ニ）Ｌ字状に折り曲げられその部材の厚さよりも長い幅を有する平板状の部材であって、折り曲げられた一端側をステーに固定され、他端側をセンサ用フレームに固定すると共に、前記した折り曲げられた箇所を連ねた線分の方向が副走査方向と一致するブラケットとを画像読取装置に具備させる。
【００２３】
すなわち本発明では、今までセンサ用フレームとの取り付けの都合上でブラケットの折り曲げられた箇所を連ねた線分の方向が主走査方向と一致していたものを、ブラケットの取付方向を９０度回転させて前記した折り曲げられた箇所を連ねた線分の方向が副走査方向と一致するようにしている。これにより、ブラケットの幅方向の長さがその部材の厚さよりも長い条件では、ブラケットが副走査方向に容易には揺動しなくなり、図１０に示したような画像の「ぶれ」を大幅に減少させることができる。
【００２４】
また、ステーと光学部品用フレームを同一の金属製部品とすることで、従来のように光学部品用フレームを樹脂製とした場合の、温度の変化によって画像の読取位置が変化する不具合を解消することができる。この際に光学部品用フレームが複雑な形状になるような場合には、精度を要しない遮光用の部品を分離独立させて、光学部品用フレームの近傍に遮光用の樹脂製の部品として配置するようにすればよい。
【発明の効果】
【００２５】
以上説明したように本発明によれば、１次元イメージセンサを保持する部品を、一次元イメージセンサの取り付けのしやすさから通常想定される方向とは異なった方向に取り付けることでその揺動を防止したので、装置の構成部品を減少させることができ、画像読取装置の更なる小型化とコストダウンを図ることができる。
【発明を実施するための最良の形態】
【００２６】
以下実施例につき本発明を詳細に説明する。
【実施例１】
【００２７】
図１は、図８に対応するもので、本発明の一実施例における画像読取装置の画像読取ユニットの内部構造の要部を原理的に表わしたものである。本実施例の画像読取ユニット２０１は、図７に示した画像読取装置１００の画像読取ユニット１０２と同様に、筐体１０１内を往復動することによって、その上部に配置した図示しない原稿の画像情報を読み取るようになっている。
【００２８】
図２は、この画像読取ユニットの光学系の概要を表わしたものである。画像読取ユニット２０１に備えられた光源２１１は、図７の光源１０３に対応するもので、紙面に垂直に配置された蛍光管等の線状の発光源からなっている。この光源２１１から射出された光線２１２は、プラテンガラス２１３に入射し、この上に載置された原稿２１４の下面としての読取面を照射する。原稿２１４の読取面の反射光２１５は、図７の開口部１０４に対応した主走査方向に沿ったスリット状の開口部２１６から入射して、画像読取ユニット２０１の上部を占める基本ユニット部２０１Ａの内部に入射する。ここで、画像読取ユニット２０１は、光源２１１とその図示しない光源駆動回路や走査用移動機構および被写体側の光学系を主として収容した基本ユニット部２０１Ａと、これに取り付けられるモジュールとしてのレンズ２１７およびＣＣＤモジュール２１８を備えた読取部２０１Ｂとから構成されている。
【００２９】
基本ユニット部２０１Ａは、第１〜第５のミラー２２１〜２２５を備えており、開口部２１６から入射した光線を複数回反射して、被写体側の光路長を稼ぐようになっている。なお、この基本ユニット部２０１Ａ側の光学系は、第１〜第５のミラー２２１〜２２５等のミラーだけで構成される必要はなく、適宜、その途中にレンズが配置されていてもよい。また、第１〜第５のミラー２２１〜２２５の枚数は、適宜増減されてもよい。
【００３０】
第５のミラー２２５によって反射された光線２２６は読取部２０１Ｂの結像用のレンズ２１７に入射し、その出射側に配置された第６のミラー２２７で反射された後、ＣＣＤ基板２２８に取り付けられた一次元のＣＣＤモジュール２１８上に結像することになる。なお、図７〜図１２に示した従来の画像読取ユニット１０２も、本実施例の画像読取ユニット２０１と基本的に同一の光学系となっている。
【００３１】
読取部２０１Ｂを示す図１に戻って説明を行う。光線２２６を入射するレンズ２１７は、ステー２３１上に固定されている。このステー２３１には、断面がＬ字状となった一対の金属製のＣＣＤブラケット２３２（２３３）が取り付けられており、ＣＣＤブラケット２３２の上部には、断面がＬ字型に形成され、ＣＣＤ基板２２８とほぼ同じ長さ（この図で紙面と垂直方向における長さ）の金属製のＣＣＤフレーム２３４が取り付けられている。ＣＣＤフレーム２３４の上部には、ＣＣＤモジュール２１８を配置したＣＣＤ基板２２８が取り付けられている。本実施例では、図８に示した従来の画像読取ユニット１０２と異なり、ＣＣＤ基板２２８の上部に、その振動を抑制するための振動抑制部材（図８の第１および第２の振動抑制部材１２３、１２４に相当）は取り付けられていない。
【００３２】
また、本実施例ではＣＣＤフレーム２３４が金属製となり、図８に示した薄い金属板１１７の使用を廃止している。しかしながら、ＣＣＤフレーム２３４を従来の樹脂製から金属製に変更したことに伴って、アースの設定が簡単になる一方で、ＣＣＤ基板２２８のアース以外のパターンと非接触状態を保つ必要が生じてくる。そこで、本実施例ではＣＣＤ基板２２８におけるＣＣＤフレーム２３４を固定するネジ止め箇所のみを突出させる構造を採用している。これにより、ＣＣＤ基板２２８の表面に配置されている図示しない各種のパターンはＣＣＤフレーム２３４と非接触の状態が保たれている。
【００３３】
図３は、図１２に対応するもので、読取部のステーにＣＣＤブラケットを取り付けた状態を表わしたものである。この図に示した状態では、図１に示したＣＣＤブラケット２３２やＣＣＤフレーム２３４およびＣＣＤモジュール２１８を配置したＣＣＤ基板２２８は、まだ画像読取ユニット２０１に取り付けられていない。ステー２３１は、主走査方向を長手方向とする細長い板状の金属板を所定の形状に打ち抜いて、レンズ２１７の取り付けられる図で手前側の壁部２３１Ａおよびこれと反対方向の壁部２３１Ｂを共に同一方向に直角に折り曲げたものである。
【００３４】
ここで、主走査方向とは、図７に示した従来の画像読取ユニット１０２の長手方向と一致する方向である。ステー２３１を壁部２３１Ａおよび壁部２３１Ｂで折り曲げたことによって、構造上の補強を図っている。レンズフレーム２５１も同様にその先端部分を９０度折り曲げてその補強を図っている。ステーの壁部２３１Ａに隣接して、レンズフレーム２５１のこの補強部位２５１Ａが図示されている。
【００３５】
ステー２３１には、図１２で長方形の開口部１３４が開けられた位置に、Ｌ字状の開口部２４１、２４２が設けられている。これらの開口部２４１、２４２には、図１２に示した一対のＣＣＤブラケット１２１、１２２とは９０度向きを変えた一対の金属製のＣＣＤブラケット２３２、２３３が突出しており、ステー２３１の裏側からネジ２４３、２４４で固定している。一対のＣＣＤブラケット２３２、２３３の図３に示した突出した部位は、それらの上部が、水平方向の切断面がＬ字となるように折り曲げられている。これらの折り曲げられた部位２３２Ｂ、２３３Ｂには、図１に示したＣＣＤフレーム２３４を取り付けるための図示しないネジ用のネジ穴２４５、２４６が開けられている。
【００３６】
一方、レンズ２１７は、ステー２３１の手前側の壁部２３１Ａによってその入射端側における位置決めが行われる。円筒形状のレンズ２１７の出射端側の光軸方向の位置および光軸の位置決めは、レンズフレーム２５１をステー２３１の上側にネジ２５２、２５３で固定することによって行われる。レンズフレーム２５１は、１枚の金属板を所定の形状に打ち抜くと共に折り曲げて形成したもので、その上面側にはレンズ２１７の筒状部分を上から押さえて固定するためのレンズ固定用開口部２５４と、第６のミラー２２７で反射された光線を図２に示すＣＣＤモジュール２１８に導くための光路用開口部２５５が設けられている。なお、レンズ２１７の下側の筒状部分は、ステー２３１におけるレンズ固定用開口部２５４と対向する位置に、レンズ固定用開口部２５４と同様に開けられた図示しない開口部によって位置決めされている。
【００３７】
図４は、画像読取ユニットを構成する読取部の全体的な形状を、ＣＣＤ基板の一部を切り欠いた状態で表わしたものである。ＣＣＤブラケット２３２の上には、ＣＣＤフレーム２３４が図３に示したネジ穴２４５、２４６を用いて、この図に示していないネジによって固定されている。ＣＣＤフレーム２３４の上に取り付けられたネジ２６１は、この部分の図示を省略したＣＣＤ基板２２８の一端を固定するものである。ＣＣＤ基板２２８の他端は、他のネジ２６２によって、ＣＣＤフレーム２３４の他端に取り付けられている。ＣＣＤフレーム２３４の他端は、ＣＣＤブラケット２３３に固定されている。ＣＣＤフレーム２３４の一部は上側に突出した突出部２３４Ａを形成しており、この部分には図２に示した読取部２０１Ｂを基本ユニット部２０１Ａに図示しないネジで固定するためのネジ穴２６３が設けられている。
【００３８】
また、レンズ２１７と第６のミラー２２７の間の空間には、外光の侵入を遮断するための一対のカバー２６４、２６５（ただしカバー２６５は図示されていない。）が配置されている。これらのカバー２６４、２６５は、遮光機能を果たせばよい。したがって、加工精度を特に必要としない遮光性の安価な樹脂材料で成型されている。
【００３９】
図５は、画像読取ユニットの読取部をレンズの配置されている側と反対側から見たものであり、図６は、画像読取ユニットの読取部の要部を、図５における左側から見たものである。ＣＣＤ基板２２８を取り付けたＣＣＤフレーム２３４は、ネジ２７１、２７２によって、ＣＣＤブラケット２３２、２３３（図６）に固定されている。
【００４０】
以上のような構成の本実施例の画像読取ユニット２０１で、従来技術として指摘した問題が解決した理由を説明する。まず、図８に示した第１および第２の振動抑制部材１２３、１２４を取り付けることなく、振動による画像の劣化を防止できる理由を説明する。
【００４１】
本実施例の画像読取ユニット２０１でも、画像の読み取り中に駆動系からの振動が図１における矢印２８１方向（副走査方向）に主として発生する。この直線的な振動は、ＣＣＤブラケット２３２、２３３の開口部２４１、２４２から突出した部位では開口部２４１、２４２の近傍を支点として矢印２８２で示す円弧状の振動に変わり、ＣＣＤ基板２２８上では矢印２８３に示すように、この振動が増幅されることになる。
【００４２】
しかしながら、本実施例では、一対のＣＣＤブラケット２３２、２３３が図１２に示した従来の一対のＣＣＤブラケット１２１、１２２と、ステー２３１上での取り付け方向が９０度異なっている。このため、ＣＣＤブラケット２３２、２３３は、矢印２８１方向の振動を受けるものの、この方向に幅広となった部材となっている。このため、矢印２８２で示す円弧状の振動はほとんど発生しない。ＣＣＤ基板２２８も、レンズ２１７およびＣＣＤモジュール２１８に至る光線２８４と共に矢印２８１方向の振動を同期して受けるものの、矢印２８３で示す振動は極めて軽微となる。
【００４３】
このように本実施例では、図８で示したＣＣＤブラケット１２１、１２２のＬ字型に折り曲げた部位１２１Ａ、１２２Ａの強度の弱さを、部材自体の厚さを増強させることなく解消している。この結果、従来例で、図８に示した第１および第２の振動抑制部材１２３、１２４を除去した場合と比較すると、ＣＣＤモジュール２１８への光線２８４の相対的な「ぶれ」を実測で２０分の１以下に低減させることができる。これは、従来例で、図８に示した第１および第２の振動抑制部材１２３、１２４をＣＣＤ基板１１６に取り付けた場合と同等、あるいはこれ以上の振動抑制効果を果たすことになる。これにより、本実施例ではＣＣＤ基板２２８に対する振動抑制部材の取り付けを不要としており、これらの部品代およびこれらの部品の取り付けのための工数を不要としている。
【００４４】
次に、画像読取ユニット２０１内の温度変化に起因する部品間の熱収縮比率の差を解消するためのネジの個数の減少について説明する。本実施例ではＣＣＤ基板２２８を保持する部品をすべて金属材料とすることにした。これにより、ＣＣＤ基板２２８を保持する部品間に温度変化が生じても、これらの間で熱収縮比率の大きな差が発生しない。このため、部品間を結合するためのネジの個数を半減させることができた。
【００４５】
更に、本実施例ではＣＣＤ基板２２８とＣＣＤフレーム２３４をこれらをネジによって固定する箇所のみ接触させる構造としたので、従来の樹脂製のものと同様にＣＣＤ基板２２８の導電性のパターンとの接触を回避し、また、図８に示したような薄い金属板１１７の使用を廃止することができた。
【００４６】
以上のように本実施例の画像読取ユニット２０１は、従来の同種の画像読取ユニット１０２と比較すると、画像の読み取りの品質を保持した状態で、部品点数を大幅に減少させることができ、部品コストと組み立てに要する時間およびコストを低減させることができる。また、樹脂自体については、連結の際の強度を高めるためのガラスの混入といった工夫を行う必要がなく、通常の樹脂材料を使用することがてきる。したがって、部品の単価を減少させることができる。
【００４７】
なお、実施例では画像の読取素子としてＣＣＤ型の１次元イメージセンサとしてのＣＣＤモジュールを使用したが、ＭＯＳ（Metal Oxide Semiconductor）型等の他の種類の読取素子を使用してもよいことはもちろんである。更に実施例ではＣＣＤブラケット２３２（２３３）をステー２３１の下面と接触するように固定したが上面と接触するように固定してもよい。
【図面の簡単な説明】
【００４８】
【図１】本発明の一実施例における画像読取装置の画像読取ユニットの内部構造の要部を原理的に表わした断面図である。
【図２】本実施例の画像読取ユニットの光学系の概要を表わした光学系配置図である。
【図３】本実施例で読取部のステーにＣＣＤブラケットを取り付けた状態を表わした斜視図である。
【図４】本実施例で画像読取ユニットを構成する読取部の全体的な形状を、ＣＣＤ基板の一部を切り欠いた状態で表わした斜視図である。
【図５】本実施例で画像読取ユニットの読取部をレンズの配置されている側と反対側から見た背面図である。
【図６】画像読取ユニットの読取部の要部を、図５における左側から見た側面図である。
【図７】一般的な画像読取装置の要部を表わした斜視図である。
【図８】従来提案された画像読取ユニットの内部構造の要部を原理的に表わした断面図である。
【図９】直線的な画像について、読み取りの際に画像の「ぶれ」が生じていない場合の読取結果の一例を表わした平面図である。
【図１０】図９と同一の直線的な画像の読み取りの際に「ぶれ」が生じた場合の読取結果を示した平面図である。
【図１１】図８に示した画像読取ユニットの内部構造の要部を表わした斜視図である。
【図１２】図１１に示した画像読取ユニットで更に図８に示したＣＣＤブラケットを取り付けた状態を表わした斜視図である。
【符号の説明】
【００４９】
２０１  画像読取ユニット
２０１Ａ  基本ユニット部
２０１Ｂ  読取部
２１１  光源
２１３  プラテンガラス
２１４  原稿
２１７  レンズ
２１８  ＣＣＤモジュール
２２６、２８４  光線
２２７  第６のミラー
２２８  ＣＣＤ基板
２３１  ステー
２３２、２３３  ＣＣＤブラケット
２３４  ＣＣＤフレーム
２５１  レンズフレーム
２６４、２６５  カバー
【図１】
2007195032.tif 000003
【図２】
2007195032.tif 000004
【図３】
2007195032.tif 000005
【図４】
2007195032.tif 000006
【図５】
2007195032.tif 000007
【図６】
2007195032.tif 000008
【図７】
2007195032.tif 000009
【図８】
2007195032.tif 000010
【図９】
2007195032.tif 000011
【図１０】
2007195032.tif 000012
【図１１】
2007195032.tif 000013
【図１２】
2007195032.tif 000014